(57)【要約】【課題】ダイナミックパラメータを使用してシステム選択を行う方法及び装置を提供する。【解決手段】複数のネットワークの中の１つをマルチモード装置により選択するための解決策が提供される。互いに異なる複数のネットワークに関連した複数のオーバーレイパラメータが取得される。ネットワークの各々は、１つ以上の選択基準に基づきオーバーレイパラメータを使用して格付けされる。この格付けに基づいてネットワークの１つが選択される。【選択図】図１Ａ
2010510707.tif 000002
【特許請求の範囲】
【請求項１】
互いに異なる複数のネットワークに関連した複数のオーバーレイパラメータを取得するステップと、
１つ以上の選択基準に基づき前記オーバーレイパラメータを使用して前記ネットワークの各々を格付けするステップと、
前記格付けに基づいて前記ネットワークの１つを選択するステップと、
を備えた方法。
【請求項２】
前記オーバーレイパラメータは、スタティックパラメータ及びダイナミックパラメータを含み、このダイナミックパラメータは、リアルタイムで与えられる、請求項１に記載の方法。
【請求項３】
エアインターフェイスを経て前記スタティックパラメータの更新を受け取るステップを更に備えた、請求項２に記載の方法。
【請求項４】
前記ネットワークの１つを選択することを開始するために、パワーオン状態、システムロス状態又は再選択状態の１つを検出するステップを更に備えた、請求項１に記載の方法。
【請求項５】
前記ネットワークは、プライオリティリストに指定され、前記ダイナミックパラメータは、該プライオリティリスト内のネットワークの次の１つに対するスキャニング間の期間を含む、請求項１に記載の方法。
【請求項６】
前記ネットワークは、移動通信用のグローバルシステム（ＧＳＭ）ネットワークと、コード分割多重アクセス（ＣＤＭＡ）ネットワークと、電気電子学会（ＩＥＥＥ）８０２．１１アーキテクチャーに適合するワイヤレスローカルエリアネットワーク（ＬＡＮ）又はＩＥＥＥ８０２．１６アーキテクチャーに適合するワイヤレスメトロポリタンエリアネットワーク（ＷＭＡＮ）とを含む、請求項１に記載の方法。
【請求項７】
前記オーバーレイパラメータは、送信電力、リンククオリティ、サービスクオリティ、又はサービス利用性に関する測定値を含む、請求項１に記載の方法。
【請求項８】
前記取得するステップは、前記ネットワークの各々に対してリンククオリティを測定することを含み、その測定されたリンククオリティが前記オーバーレイパラメータの一部分として含まれる、請求項１に記載の方法。
【請求項９】
互いに異なる複数のネットワークに関連した複数のオーバーレイパラメータを取得するように構成された選択ロジックを備え、
前記選択ロジックは、更に、１つ以上の選択基準に基づき前記オーバーレイパラメータを使用して前記ネットワークの各々を格付けし、そしてその格付けに基づいて前記ネットワークの１つを選択するように構成された、装置。
【請求項１０】
前記オーバーレイパラメータは、スタティックパラメータ及びダイナミックパラメータを含み、このダイナミックパラメータは、リアルタイムで与えられる、請求項９に記載の装置。
【請求項１１】
前記選択ロジックは、更に、エアインターフェイスを経て送信される前記スタティックパラメータの更新を受け取るように構成された、請求項１０に記載の装置。
【請求項１２】
前記ネットワークの１つを選択することを開始するために、パワーオン状態、システムロス状態又は再選択状態の１つが検出される、請求項９に記載の装置。
【請求項１３】
前記ネットワークは、プライオリティリストに指定され、前記ダイナミックパラメータは、該プライオリティリスト内のネットワークの次の１つに対するスキャニング間の期間を含む、請求項９に記載の装置。
【請求項１４】
前記ネットワークは、移動通信用のグローバルシステム（ＧＳＭ）ネットワークと、コード分割多重アクセス（ＣＤＭＡ）ネットワークと、電気電子学会（ＩＥＥＥ）８０２．１１アーキテクチャーに適合するワイヤレスローカルエリアネットワーク（ＬＡＮ）又はＩＥＥＥ８０２．１６アーキテクチャーに適合するワイヤレスメトロポリタンエリアネットワーク（ＷＭＡＮ）とを含む、請求項９に記載の装置。
【請求項１５】
前記オーバーレイパラメータは、送信電力、リンククオリティ、サービスクオリティ、又はサービス利用性に関する測定値を含む、請求項９に記載の装置。
【請求項１６】
前記ネットワークの各々に対してリンククオリティを測定するように構成された測定ユニットを更に含み、その測定されたリンククオリティが前記オーバーレイパラメータの一部分として含まれる、請求項９に記載の装置。
【請求項１７】
互いに異なる複数のネットワークの１つに関連した複数のオーバーレイパラメータを記憶するように構成されたサーバーと、
前記サーバーと通信するよう構成されたベースステーションであって、１つのネットワークを経て前記オーバーレイパラメータを、各ネットワークと動作するように構成されたマルチモード移動ステーションへ送信するようなベースステーションと、
を備え、前記マルチモード移動ステーションは、前記ネットワークの重畳するカバレージエリア内にあり、更に、前記マルチモード移動ステーションは、１つ以上の選択基準に基づき前記オーバーレイパラメータを使用して前記ネットワークの各々を格付けし、そしてその格付けに基づいて前記ネットワークの１つを選択するように構成された、システム。
【請求項１８】
前記オーバーレイパラメータは、スタティックパラメータ及びダイナミックパラメータを含み、このダイナミックパラメータは、リアルタイムで与えられる、請求項１７に記載のシステム。
【請求項１９】
前記選択ロジックは、更に、エアインターフェイスを経て前記スタティックパラメータの更新を受け取るように構成された、請求項１８に記載のシステム。
【請求項２０】
前記ネットワークの１つを選択することを開始するために、パワーオン状態、システムロス状態又は再選択状態の１つが検出される、請求項１７に記載のシステム。
【請求項２１】
前記ネットワークは、プライオリティリストに指定され、前記ダイナミックパラメータは、該プライオリティリスト内のネットワークの次の１つに対するスキャニング間の期間を含む、請求項１７に記載のシステム。
【請求項２２】
前記ネットワークは、移動通信用のグローバルシステム（ＧＳＭ）ネットワークと、コード分割多重アクセス（ＣＤＭＡ）ネットワークと、電気電子学会（ＩＥＥＥ）８０２．１１アーキテクチャーに適合するワイヤレスローカルエリアネットワーク（ＬＡＮ）又はＩＥＥＥ８０２．１６アーキテクチャーに適合するワイヤレスメトロポリタンエリアネットワーク（ＷＭＡＮ）とを含む、請求項１７に記載のシステム。
【請求項２３】
前記オーバーレイパラメータは、送信電力、リンククオリティ、サービスクオリティ、又はサービス利用性に関する測定値を含む、請求項１７に記載のシステム。
【請求項２４】
前記移動ステーションは、前記ネットワークの各々に対してリンククオリティを測定するように構成された測定ユニットを更に含み、その測定されたリンククオリティが前記オーバーレイパラメータの一部分として含まれる、請求項１７に記載のシステム。
【請求項２５】
リアルタイムで与えられるダイナミックパラメータと、スタティックパラメータとを含むネットワークのオーバーレイパラメータを記憶するステップと、
互いに異なる複数のネットワークから複数のオーバーレイパラメータを取得するように構成された移動ステーションへオーバーレイパラメータを送信するステップであって、その移動ステーションは、更に、前記オーバーレイパラメータを使用して前記ネットワークの各々を格付けし、その格付けに基づいて前記ネットワークの１つを選択するように構成されるようなステップと、
を備えた方法。
【請求項２６】
前記ネットワークは、プライオリティリストに指定され、前記ダイナミックパラメータは、該プライオリティリスト内のネットワークの次の１つに対するスキャニング間の期間を含む、請求項２５に記載の方法。
【請求項２７】
前記ネットワークは、移動通信用のグローバルシステム（ＧＳＭ）ネットワークと、コード分割多重アクセス（ＣＤＭＡ）ネットワークと、電気電子学会（ＩＥＥＥ）８０２．１１アーキテクチャーに適合するワイヤレスローカルエリアネットワーク（ＬＡＮ）又はＩＥＥＥ８０２．１６アーキテクチャーに適合するワイヤレスメトロポリタンエリアネットワーク（ＷＭＡＮ）とを含む、請求項２５に記載の方法。
【請求項２８】
前記オーバーレイパラメータは、ネットワークの送信電力、リンククオリティ、サービスクオリティ、又はサービス利用性に関する測定値を含む、請求項２５に記載の方法。
【請求項２９】
リアルタイムで与えられるダイナミックパラメータと、スタティックパラメータとを含むネットワークのオーバーレイパラメータを記憶するように構成されたメモリと、
ベースステーションを経て移動ステーションへ前記オーバーレイパラメータを送信するように構成された通信インターフェイスと、
を備え、前記移動ステーションは、互いに異なる複数のネットワークから複数のオーバーレイパラメータを取得するように構成される。更に、前記移動ステーションは、前記オーバーレイパラメータを使用して前記ネットワークの各々を格付けし、その格付けに基づいて前記ネットワークの１つを選択するように構成された、装置。
【請求項３０】
前記ネットワークは、プライオリティリストに指定され、前記ダイナミックパラメータは、該プライオリティリスト内のネットワークの次の１つに対するスキャニング間の期間を含む、請求項２９に記載の装置。
【請求項３１】
前記ネットワークは、移動通信用のグローバルシステム（ＧＳＭ）ネットワークと、コード分割多重アクセス（ＣＤＭＡ）ネットワークと、電気電子学会（ＩＥＥＥ）８０２．１１アーキテクチャーに適合するワイヤレスローカルエリアネットワーク（ＬＡＮ）又はＩＥＥＥ８０２．１６アーキテクチャーに適合するワイヤレスメトロポリタンエリアネットワーク（ＷＭＡＮ）とを含む、請求項２９に記載の装置。
【請求項３２】
前記オーバーレイパラメータは、ネットワークの送信電力、リンククオリティ、サービスクオリティ、又はサービス利用性に関する測定値を含む、請求項２９に記載の装置。
【請求項３３】
前記装置は、前記ネットワークに関連したサーバーである、請求項２９に記載の装置。
【発明の詳細な説明】
【技術分野】
【０００１】
本発明は、一般的に、ダイナミックパラメータを使用してシステム選択を行う方法及び装置に係る。
【０００２】
関連出願：本出願は、参考としてここに全体を援用する２００６年１１月１７日に出願された“Method and Apparatus for Providing System Selection Using Dynamic Parameters”と題する米国プロビジョナル特許出願第６０／８６６，３５１号の、３５Ｕ.Ｓ.Ｃ.§１１９（ｅ）のもとでのより早期の出願日の利益を主張するものである。
【背景技術】
【０００３】
第三世代パートナーシッププロジェクト（３ＧＰＰ）ネットワーク（ＧＳＭ（移動通信用のグローバルシステム）又はＵＭＴＳ（ユニバーサル移動テレコミュニケーションシステム））、３ＧＰＰ２ネットワーク（ＩＳ−９５又はＣＤＭＡ２０００）、ＷＬＡＮ（ＩＥＥＥ（電気電子学会）８０２．１１）、ＷｉＦｉ（ＩＥＥＥ８０２．１１ａ／ｇワイヤレスＬＡＮ（ワイヤレス・フィデリティ）、ＷｉＭａｘ（ワールドワイド・インターオペラビリティ・フォア・マイクロウェーブ・アクセス）ＩＥＥＥ８０２．１６）のような無線通信システムは、サービス及び特徴の豊富なセットと共に移動の便宜性をユーザに提供する。この便宜性は、ビジネス及び個人的な用途に対して受け容れられる通信モードとして益々大勢の消費者による著しい採用を生み出した。更に、多数の無線ネットワークが共存し、異なる及び／又は相補的なサービス及びカバレージを提供している。その結果、種々様々なこのようなサービスの利点を取り入れるためにマルチモードターミナルが開発された。より多くの採用を促進するために、テレコミュニケーション業界は、製造者からサービスプロバイダーに至るまで、種々のサービス及び特徴の根底となる通信プロトコル用規格を開発するための多大な費用及び努力に合意した。努力についての１つの重要な領域は、マルチモード環境におけるシステム選択に関する。従来の解決策は、単一モード選択規格、即ちスタティックパラメータを使用してオペレーションモードを決定することに焦点を合わせたものであった。しかしながら、これらの解決策は、送信条件の変化、特に、移動環境の変化を充分に考慮しておらず、その結果、システムの選択が不充分となる。
【発明の概要】
【発明が解決しようとする課題】
【０００４】
そこで、マルチモード環境においてシステム選択を行う解決策が要望される。
【課題を解決するための手段】
【０００５】
本発明の一実施形態による方法は、互いに異なる複数のネットワークに関連した複数のオーバーレイパラメータを取得するステップを備えている。又、この方法は、１つ以上の選択基準に基づきオーバーレイパラメータを使用してネットワークの各々を格付けするステップも備えている。更に、この方法は、その格付けに基づいてネットワークの１つを選択するステップを備えている。
【０００６】
本発明の別の実施形態による装置は、互いに異なる複数のネットワークに関連した複数のオーバーレイパラメータを取得するように構成された選択ロジックを備えている。又、この選択ロジックは、更に、１つ以上の選択基準に基づきオーバーレイパラメータを使用してネットワークの各々を格付けし、そしてその格付けに基づいてネットワークの１つを選択するように構成される。
【０００７】
本発明の別の実施形態によるシステムは、互いに異なる複数のネットワークの１つに関連した複数のオーバーレイパラメータを記憶するよう構成されたサーバーを備えている。又、このシステムは、サーバーと通信するよう構成されたベースステーションであって、１つのネットワークを経てオーバーレイパラメータを、各ネットワークと動作するように構成されたマルチモード移動ステーションへ送信するようなベースステーションも備え、そのマルチモード移動ステーションは、ネットワークの重畳するカバレージエリア内にある。更に、マルチモード移動ステーションは、１つ以上の選択基準に基づきオーバーレイパラメータを使用してネットワークの各々を格付けし、そしてその格付けに基づいてネットワークの１つを選択するように構成される。
【０００８】
本発明の別の実施形態による方法は、リアルタイムで与えられるダイナミックパラメータと、スタティックパラメータとを含むネットワークのオーバーレイパラメータを記憶するステップを備えている。又、この方法は、互いに異なる複数のネットワークから複数のオーバーレイパラメータを取得するよう構成された移動ステーションへオーバーレイパラメータを送信するステップも備えている。移動ステーションは、更に、オーバーレイパラメータを使用してネットワークの各々を格付けし、その格付けに基づいてネットワークの１つを選択するように構成される。
【０００９】
本発明の更に別の実施形態による装置は、リアルタイムで与えられるダイナミックパラメータと、スタティックパラメータとを含むネットワークのオーバーレイパラメータを記憶するように構成されたメモリを備えている。又、この装置は、ベースステーションを経て移動ステーションへオーバーレイパラメータを送信するように構成された通信インターフェイスも備えている。移動ステーションは、互いに異なる複数のネットワークから複数のオーバーレイパラメータを取得するように構成される。更に、移動ステーションは、オーバーレイパラメータを使用してネットワークの各々を格付けし、その格付けに基づいてネットワークの１つを選択するように構成される。
【００１０】
本発明の更に別の態様、特徴、及び効果は、本発明を実施するための最良の態様を含む多数の特定の実施形態及び具現化を単に例示することにより、以下の詳細な説明から容易に明らかとなろう。又、本発明は、他の異なる実施形態も考えられ、その多数の細部を、本発明の精神及び範囲から逸脱せずに、種々の明らかな観点において変更することができる。従って、添付図面及び以下の説明は、単なる例示に過ぎず、それに限定されるものではない。
【００１１】
以下、添付図面を参照して、本発明の実施形態を一例として説明する。
【図面の簡単な説明】
【００１２】
【図１Ａ】本発明の実施形態によりマルチモード環境で動作できるマルチモードワイヤレスターミナルを示す図である。
【図１Ｂ】本発明の実施形態によりマルチモード環境で動作できるマルチモードワイヤレスターミナルを示す図である。
【図２】本発明の実施形態によりオーバーレイパラメータに基づいて無線ネットワークを選択できるモード選択ロジックを示す図である。
【図３】本発明の実施形態によりダイナミックオーバーレイパラメータをリンクするシステムプライオリティリストを示す図である。
【図４Ａ】本発明の種々の実施形態によるシステム選択プロセスを示すフローチャートである。
【図４Ｂ】本発明の種々の実施形態によるシステム選択プロセスを示すフローチャートである。
【図５】本発明の実施形態を具現化するのに使用できるハードウェアを示す図である。
【図６Ａ】本発明の種々の実施形態をサポートできる異なるセルラー移動電話システムを示す図である。
【図６Ｂ】本発明の種々の実施形態をサポートできる異なるセルラー移動電話システムを示す図である。
【図７】本発明の実施形態により図６Ａ及び６Ｂのシステムにおいて動作できる移動ステーションのコンポーネントを例示する図である。
【図８】本発明の実施形態により、ここに述べるプロセスをサポートできる企業ネットワークを示す図である。
【発明を実施するための形態】
【００１３】
システムを選択するための装置、方法、及びソフトウェアが開示される。以下の記述において、説明上、本発明の実施形態を完全に理解するために多数の特定の細部について述べる。しかしながら、当業者であれば、本発明の実施形態は、これら特定の細部をもたずに、又はそれと等価な構成で、実施できることが明らかであろう。他の点で、本発明の実施形態を不必要に不明瞭にしないために、良く知られた構造及び装置は、ブロック図形態で示すことにする。
【００１４】
本発明のある実施形態は、無線通信システム（例えば、コード分割多重アクセス（ＣＤＭＡ）、移動通信用のグローバルシステム（ＧＳＭ）、ワイヤレスローカルエリアネットワーク（ＷＬＡＮ）、又はワイヤレスメトロポリタンエリアネットワーク（ＷＭＡＮ））に関して議論するが、当業者であれば、本発明の実施形態は、いかなる形式の通信システム及び他の無線技術にも適用できることが認識されよう。
【００１５】
図１Ａ及び１Ｂは、本発明の実施形態によりマルチモード環境で動作できるマルチモードワイヤレスターミナルを示す図である。一実施形態によれば、マルチモードワイヤレスターミナル１０１は、異なる通信技術を使用する複数のワイヤレス（又は無線）通信システム１０３、１０５及び１０７によりサポートされたカバレージエリア内にある。このような状況のもとでは、マルチモードターミナル１０１は、どのネットワーク１０３、１０５及び１０７の中で動作するのが「最良」であるか決定する必要がある。例えば、無線ネットワーク１０３は、ＣＤＭＡシステムであり、無線ネットワーク１０５は、ＧＳＭシステムであり、そして無線ネットワーク１０７は、ワイヤレスローカルエリアネットワーク（ＷＬＡＮ）又はワイヤレスメトロポリタンエリアネットワーク（ＷＭＡＮ）である。
【００１６】
ＷＬＡＮは、ＩＥＥＥ（電気及び電子学会）８０２．１１又はＷｉＦｉ（ＩＥＥＥ８０２．１１ａ／ｇワイヤレスＬＡＮ（ワイヤレス・フィデリティ）のようなアーキテクチャーを使用することができ、一方、ＷＭＡＮは、ＷｉＭａｘ（ワールドワイド・インターオペラビリティ・フォア・マイクロウェーブ・アクセス）ＩＥＥＥ８０２．１６アーキテクチャーを使用することができる。図１Ａは、３つのネットワーク１０３、１０５、１０７を示しているが、いかなる数のネットワークを具現化することもでき、例えば、２つ以上を具現化できることが意図される。ワイヤレスターミナル１０１は、ハンドセット、ターミナル、ステーション、ユニット、デバイスのようないかなる形式の移動ステーションでもよいし、又はユーザに対するいかなる形式のインターフェイス（「着用可能」な回路、等）でもよい。ある実施形態において、ターミナル１０１は、移動体として説明するが、固定のワイヤレスターミナルを使用できることも意図される。
【００１７】
図示されたように、マルチモードワイヤレスターミナル１０１は、ＣＤＭＡネットワーク１０３において、ＧＳＭネットワーク１０５のＧＳＭカバレージエリアと重畳する対応ＣＤＭＡネットワークカバレージエリアで動作するよう構成できる。更に、ネットワーク１０７のＩＥＥＥ８０２．１１ＷＬＡＮ技術を展開してネットワークカバレージを拡張することができる。その結果、ワイヤレスターミナル１０１は、３つの異なる全てのネットワーク１０３、１０５及び１０７のカバレージエリア内に同時に存在することができる。従って、ターミナル１０１は、システムの１つを選択する必要があり、理想的には、ターミナル１０１は、特定のアプリケーションをサポートするための最良のシステムを選択しなければならない。
【００１８】
マルチモードシステム選択に対する１つの慣習的な解決策は、スタティックパラメータのみに依存し、パラメータの所定セットを使用して、移動体が特定ネットワークに対応する特有モードで機能すべきかどうか決定するものである。しかしながら、上述したように、厳密にスタティックパラメータを使用するマルチモードシステム選択は、特に、ターミナルの移動で環境条件が変化するので、程度の劣る選択を生じることが認識されている。従って、このスタティックな解決策は、選択基準がシステム条件の変化を反映しないことがあるという点で融通性に欠ける。
【００１９】
図１Ｂに示すように、ここに示す実施形態によれば、マルチモードワイヤレスターミナル１０１（例えば、移動ステーション（ＭＳ））においてダイナミックな解決策を具現化することができる。ダイナミックな解決策は、オーバーレイパラメータを使用して、システム選択プロセスを助成する。例えば、オーバーレイパラメータは、オーバー・ジ・エア（ＯＴＡ）で（即ち、対応ネットワーク１０３、１０５又は１０７のエアインターフェイスを経て）更新されるスタティックパラメータと、リアルタイムで入力されるダイナミックパラメータとを含むことができる。このようなダイナミックパラメータは、パラメータについて行われる測定値、例えば、チャンネル電力、サービス利用性、等を含むことができる。サービス利用性は、（受信モードにおいて）ネットワークからダイナミックに利用できる情報、又は特定の位置における特定のシステムに対するサービスクオリティパラメータの測定値、のいずれかに基づくことができる。
【００２０】
この例示的シナリオにおいて、ダイナミックパラメータは、ネットワーク１０３、１０５及び１０７に各々常駐するＯＴＡサーバー（１１１、１１３及び１１５）から発生することができる。又、ダイナミックパラメータは、ネットワークから、例えば、異なるシステムにより送られる特殊なメッセージを経て送信できることにも注意されたい（例えば、ＣＤＭＡネットワーク１０３、ＧＳＭネットワーク１０５、ＷＬＡＮネットワーク１０７、又はワイヤレスメトロポリタンエリアネットワーク（ＷＭＡＮ）（図示せず）、等）。更に、ネットワークに加えて、ＭＳ１０１それ自体により測定値を与えることもできる。従って、ＭＳ１０１は、測定ユニット１１７を備えている。
【００２１】
ここに示す実施形態では、ワイヤレスターミナル１０１は、システムごとに１つの、複数の受信器を使用する（ＭＳは、受信器ＣＤＭＡ１０３、ＷＬＡＮ１０７、ＧＳＭ１０５を有することができる）。このシナリオにおいて、ＭＳ１０１は、各ネットワーク１０３、１０５及び１０７に対する回路１１９、１２１及び１２３を使用することにより各システムから情報を収集することができる。一実施形態では、ワイヤレスステーション１０１は、例えば、ＣＤＭＡ１０３におけるパイロット信号強度、ＧＳＭ１０５におけるビーコン周波数信号強度、又はＷＬＡＮビーコンチャンネル１０７の受信電力を検出することができる。異なるシステムの物理的チャンネルに対して得られたこれら測定値の比較に基づき、ワイヤレスターミナル１０１は、モード選択ロジック１２５を経て、「最良」のシステムを選択することができる。
【００２２】
この実施例では、移動ステーション１０１は、異なる通信システム１０３、１０５及び１０７の各々から情報を収集して、最良のシステムを決定する。例えば、電力を測定して比較することは、異なるシステムが「良好」なチャンネルを判断するための基準として異なるレベルの測定電力に従うことを考慮するものである。電力の単純な測定値とは別に、ネットワーク１０３、１０５及び１０７のエアインターフェイスごとにリンククオリティ測定値（ＬＱＭ）を決定することができる。一実施形態では、高速スイッチング又は詳細なＬＱＭに対して単純な測定値を取得するように、モード選択ロジックをセットすることができる。
【００２３】
ＬＱＭを決定するための例示的パラメータは、フレームエラー率、パケットロス率、或いはリンクのクオリティを推定するための任意の有用な尺度を含むことができる。更に、種々の方法を使用して、リンクのクオリティ、例えば、クリアチャンネルアセスメント（ＣＳＡ）、受信信号強度レポート指示（ＲＳＳＲＩ）、等を推定することができる。それに加えて又はそれに代わって、ネットワーク１０３、１０５及び１０７、並びに移動ステーション１０１の測定ユニット１１７により、測定を行うことができる。
【００２４】
移動ステーション１０１がハンドセットであるケースでは、特に、相当の電力を消費する種々の機能的能力、例えば、カメラ、音楽プレーヤ、パーソナルデジタルアシスタント（ＰＤＡ）、等をハンドセットに配備できるとすれば、バッテリ寿命が最も重要な問題であることに注意されたい。バッテリ寿命をセーブするために、モード選択ロジック１２５は、ダイナミックパラメータを取得する必要性を最小にし、ネットワーク選択プロセスに対して主としてスタティックパラメータに依存するようにすることができる。従って、ダイナミックパラメータは、システムプライオリティリストにおいて次のプライオリティシステムに対するスキャニング間の時間インターバル即ち期間であると定義することができる。この期間即ちインターバルは、バッテリ寿命をセーブするようにダイナミックに調整することができる。しかしながら、バッテリ寿命が重要な事柄でない（性能が最重要な）場合には、スタティックパラメータ及びダイナミックパラメータ（例えば、リアルタイム測定値）の両方を使用することができる。ある実施形態によれば、リアルタイムパラメータの使用は、特定のサービスを使用する必要性に依存する。あるサービスは、１つのシステムでしか利用できないことがあり、このようなケースでは、最良のサービスを提供するシステムを見出すことが、バッテリ寿命の問題により制限されてはならない。これは、例えば、ユーザ又はオペレータが指定する基準の要件に依存する。
【００２５】
図２は、本発明の実施形態によりオーバーレイパラメータに基づいて無線ネットワークを選択できるモード選択ロジックを示す図である。説明上、モード選択ロジック１２５は、ＯＴＡサーバー１１１、１１３及び１１５からオーバーレイパラメータを取得するオーバーレイファンクションモジュール２０１を備えている。このモジュール２０１は、選択プロセスが開始されたときにこれらのパラメータを取得し、その後、所定のインターバルに基づいてパラメータを得ることができる。ダイナミックパラメータについては、その取得は、リアルタイムベースで行われる。ここに示す実施形態では、オーバーレイパラメータは、ＳＩＭ（加入者識別モジュール）／Ｒ−ＵＩＭ（取り外し可能なユーザアイデンティティモジュール）／ＵＳＩＭ（ユニバーサルＳＩＭ）、或いは移動ステーション１０１内の任意の形式のメモリにおいて具現化することができる。オーバーレイファンクションモジュール２０１は、オーバーレイパラメータを格付けモジュール２０３へ供給し、これは、オーバーレイパラメータを使用して、最良の又は「最高プライオリティ」のネットワークを決定する。
【００２６】
明らかなように、ハードウェアカウンタ２０５は、異なるレイヤにおける測定に使用することができる。これらカウンタからの値を使用して、例えば、リンククオリティ、並びに物理的レイヤにおけるフレームエラーカウント、エラーで受け取られたＩＰ（インターネットプロトコル）パケットのカウント、失われたパケット、或いは任意のレイヤ又はプロトコルに対する統計学的な尺度を推定することができる。この例示的具現化には２つの態様がある。一方の態様は、ＯＴＡ方法を使用してパラメータをプログラムすることであり、そして他方の態様は、これらパラメータについてリアルタイム測定値を得ることを含む。ＯＴＡ更新のセキュリティが問題である場合には、ＯＭＡ  ＤＭ（デバイスマネージメント）プロトコルを使用することができる。というのは、トランスポートレイヤセキュリティ及びエアインターフェイスセキュリティに加えてセキュリティのレベルを与えるからである。一実施形態では、測定（オーバーレイロジック）を、ＯＭＡ  ＤＭ診断及び監視のような診断及び監視ネットワークにリンクすることができる。ここに述べるように、オーバーレイパラメータ（即ち、スタティックパラメータ及びダイナミックパラメータの両方）は、ワイヤレスターミナル１０１に対する高プライオリティ（最も好ましい）システムモードを決定するのに使用できる。これを達成するために、オーバーレイパラメータは、ＯＴＡプログラミングを通して値がセットされるパラメータ（スタティックパラメータ）と、測定を通してリアルタイムで値が得られるパラメータ（例えば、ダイナミックパラメータ）とを含むことができる。ここに示す実施形態では、スタティック及びダイナミックパラメータは、ＯＴＡデバイスマネージメントのようなＯＴＡマネージメントプロトコルを使用して、移動ステーション１０１に対して更新することができる。
【００２７】
ここに示す実施形態では、移動ステーションのプライオリティ決めされたネットワークのセットを指定したシステムプライオリティリストが使用される。このリストは、例えば、オペレータ及びプログラムされたＯＴＡによりセットされるスタティックパラメータである。各システムに対して、システムプライオリティリストでは、ダイナミックパラメータをリアルタイムで得ることができる。
【００２８】
図３は、本発明の実施形態によりダイナミックオーバーレイパラメータをリンクするシステムプライオリティリストを示す図である。リスト又はテーブル３００は、インデックスフィールド３０１のような独特の識別子と、システム形式フィールド３０３と、プライオリティネットワークフィールド３０５と、システムプライオリティフィールド３０７とを含む。ここに示す実施形態では、テーブル３００は、システムプライオリティ（オーバーレイスタティックパラメータである）をダイナミックパラメータにどのようにリンクするかを示す。図示されたように、ＣＤＭＡ２０００／ＩＳ９５のシステムプライオリティ値「より高い(MORE)」は、ＣＤＭＡダイナミックオーバーレイパラメータにリンクすることができる。ＧＳＭ／ＷＣＤＭＡのシステムプライオリティ値「同じ(SAME)」は、ＧＳＭダイナミックオーバーレイパラメータにリンクすることができる。ＷＬＡＮのシステムプライオリティは、ＷＬＡＮダイナミックオーバーレイパラメータにリンクすることができる。各システムに対して、最良のシステムを決定するために、例えば、再選択の間に値が得られるダイナミックパラメータのセットが存在することに注意されたい。
【００２９】
図４Ａ及び４Ｂは、本発明の種々の実施形態によるシステム選択プロセスを示すフローチャートである。図４Ａにおいて、図１Ａのターミナル１０１を参照すれば、ステップ４０１では、モード選択ロジック１２５がオーバーレイパラメータ（スタティック及びダイナミックパラメータ）を本質的に分析し、所定の基準を使用してシステムを格付けする（ステップ４０３）。この格付けに基づいて、「最良」又は「最高」格付けのシステムが選択される。
【００３０】
図４Ｂを参照すれば、プロセスの始めに、ステップ４１１では、ワイヤレスターミナル１０１（例えば、移動ステーション）が、パワーオン状態、システムロス状態又は再選択状態（即ち、ターミナルが、特定モードで動作しながらシステムの再選択を試みている）のいずれかにある。ワイヤレスターミナル１０１は、ステップ４１３において、プログラムされた（スタティック）パラメータ（システムプライオリティリスト）に基づき、より高いプライオリティのシステムをサーチする。システムプライオリティリスト（図３に示すような）は、選択基準に基づいてプライオリティ決め又はランク付けされたシステムのリストである。ワイヤレスターミナルは、利用可能な「より高い」プライオリティのシステムを見出す（ステップ４１５）。さもなければ、システムは、再び、次に高いプライオリティのシステムをサーチする。利用可能な高いプライオリティのシステムの場合に、ワイヤレスターミナルは、基準に使用されると定義されたパラメータについてリアルタイム測定値を得る（例えば、ＧＳＭ／ＷＬＡＮビーコンの電力測定値、パイロット強度、ＬＱＭ、等）。
【００３１】
ステップ４１７において、ワイヤレスターミナル１０１は、次いで、システムプライオリティリスト３００内のスタティックパラメータにリアルタイム基準を適用し、最も好ましいシステムへスイッチすることができる。利用可能な高いプライオリティのシステムが、例えば、ＣＤＭＡである場合には、ワイヤレスターミナル１０１は、システムプライオリティリスト内の次のプライオリティ（例えば、利用可能なＧＳＭ、ＷＬＡＮ）のシステムに対して測定を行う。ワイヤレスステーションは、利用可能な高いプライオリティのシステムと次のプライオリティのシステムとの測定値（電力／ＬＱＭ）の比較に基づいて、最良のシステムを判断することができる。
【００３２】
ステップ４１９において、ワイヤレスターミナル１０１は、最良のシステムを選択し、そしてステップ４２１において、ネットワーク（例えば、ネットワーク１０３、１０５又は１０７）を取得することができる。この段階で、ワイヤレスターミナル１０１は、選択されたシステムの受信及び送信の両方を行うことができる。
【００３３】
ある実施形態に基づくここに述べるダイナミックアプローチは、あるレベルのサービス及びネットワーク性能を保証するシステム選択を与えることができる。これは、スタティックパラメータの最良の使用を許す。又、この解決策は、システムプライオリティに対する新たな基準をセットする融通性も与える。更に、この構成は、訪問先の位置の条件を考慮に入れる。というのは、スタティックプライオリティリストで定義されるシステムは、訪問先の位置において最良のシステムでないことがあるからである。
【００３４】
当業者であれば、オーバーレイパラメータに基づくシステム選択のためのプロセスは、ソフトウェア、ハードウェア（例えば、汎用プロセッサ、デジタル信号処理（ＤＳＰ）チップ、特定用途向け集積回路（ＡＳＩＣ）、フィールドプログラマブルゲートアレイ（ＦＰＧＡ）、等）、ファームウェア、又はその組合せを経て具現化できることが明らかであろう。ここに述べるファンクションを遂行するためのこのような例示的ハードウェアを、図５を参照して以下に述べる。
【００３５】
図５は、本発明の種々の実施形態を具現化できるハードウェアを示す図である。コンピューティングシステム５００は、情報を通信するためのバス５０１又は他の通信メカニズムと、情報を処理するためにバス５０１に結合されたプロセッサ５０３とを備えている。又、コンピューティングシステム５００は、プロセッサ５０３により実行されるインストラクション及び情報を記憶するためにバス５０１に結合されたランダムアクセスメモリ（ＲＡＭ）又は他のダイナミック記憶装置のようなメインメモリ５０５も備えている。このメインメモリ５０５は、プロセッサ５０３によるインストラクションの実行中に時間的変数又は他の中間情報を記憶するように使用することもできる。更に、コンピューティングシステム５００は、プロセッサ５０３に対するスタティック情報及びインストラクションを記憶するためにバス５０１に結合されたリードオンリメモリ（ＲＯＭ）５０７又は他のスタティックな記憶装置を含むこともできる。情報及びインストラクションを持続的に記憶するための磁気ディスク又は光学ディスクのような記憶装置５０９がバス５０１に結合される。
【００３６】
コンピューティングシステム５００は、バス５０１を経て、ユーザに情報を表示するためのディスプレイ５１、例えば、液晶ディスプレイ、又はアクティブマトリクスディスプレイに結合することができる。又、情報及びコマンド選択をプロセッサ５０３に通信するために、アルファニューメリック及び他のキーを含むキーボードのような入力装置５１３をバス５０１に結合することができる。この入力装置５１３は、指令情報及びコマンド選択をプロセッサ５０３に通信すると共に、ディスプレイ５１１上でのカーソル移動を制御するために、マウス、トラックボール、又はカーソル方向キーのようなカーソル制御器を含むことができる。
【００３７】
本発明の種々の実施形態によれば、ここに述べるプロセスは、メインメモリ５０５に収容されたインストラクションの配列体をプロセッサ５０３が実行するのに応答してコンピューティングシステム５００により行うことができる。このようなインストラクションは、記憶装置５０９のような別のコンピュータ読み取り可能な媒体からメインメモリ５０５に読み込むことができる。メインメモリ５０５に収容されたインストラクションの配列体を実行することで、プロセッサ５０３が、ここに述べるプロセスステップを実行するようにさせる。又、マルチ処理構成体における１つ以上のプロセッサを使用して、メインメモリ５０５に収容されたインストラクションを実行することもできる。別の実施形態では、ソフトウェアインストラクションに代わって又はそれと組み合わせて、ハードワイヤード回路を使用して、本発明の実施形態を具現化してもよい。別の実施例では、典型的にメモリルックアップテーブルをプログラミングすることにより論理ゲートの機能及び接続トポロジーをランタイムにカスタマイズできるフィールドプログラマブルゲートアレイ（ＦＰＧＡ）のような再構成可能なハードウェアを使用することができる。従って、本発明の実施形態は、ハードウェア回路及びソフトウェアの特定の組合せに限定されない。
【００３８】
又、コンピューティングシステム５００は、バス５０１に結合された少なくとも１つの通信インターフェイス５１５も備えている。この通信インターフェイス５１５は、ネットワークリンク（図示せず）に対して両方向データ通信結合を与える。通信インターフェイス５１５は、種々の形式の情報を表すデジタルデータストリームを搬送する電気、電磁又は光学信号を送信及び受信する。更に、通信インターフェイス５１５は、ユニバーサルシリアルバス（ＵＳＢ）インターフェイス、ＰＣＭＣＩＡ（パーソナルコンピュータメモリカードインターナショナルアソシエーション）インターフェイス、等の周辺インターフェイス装置を含むことができる。
【００３９】
プロセッサ５０３は、送信されたコードを受信しながら実行し、及び／又はそのコードを、後で実行するために記憶装置５０９又は他の不揮発性記憶装置に記憶することができる。このように、コンピューティングシステム５００は、搬送波の形態のアプリケーションコードを得ることができる。
【００４０】
ここで使用する「コンピュータ読み取り可能な媒体」という語は、インストラクションを実行のためにプロセッサ５０３に与えることに関与する任意の媒体を指す。このような媒体は、これに限定されないが、不揮発性媒体、揮発性媒体、及び送信媒体を含む多数の形態をとり得る。不揮発性媒体は、例えば、記憶装置５０９のような光学又は磁気ディスクを含む。揮発性媒体は、メインメモリ５０５のようなダイナミックメモリを含む。送信媒体は、バス５０１を構成するワイヤを含めて、同軸ケーブル、銅線及び光ファイバーを含む。又、送信媒体は、高周波（ＲＦ）及び赤外線（ＩＲ）データ通信中に発生されるもののような音響、光学又は電磁波の形態をとることもできる。コンピュータ読み取り可能な媒体の通常の形態は、例えば、フロッピー（登録商標）ディスク、フレキシブルディスク、ハードディスク、磁気テープ、他の磁気媒体、ＣＤ−ＲＯＭ、ＣＤＲＷ、ＤＶＤ、他の光学媒体、パンチカード、ペーパーテープ、光学マークシート、穴又は他の光学的に認識可能な印のパターンをもつ他の物理的媒体、ＲＡＭ、ＰＲＯＭ及びＥＰＲＯＭ、フラッシュＥＰＲＯＭ、他のメモリチップ又はカートリッジ、搬送波、或いはコンピュータが読み取りできる他の媒体を含む。
【００４１】
インストラクションを実行のためにプロセッサに与える際に種々の形態のコンピュータ読み取り可能な媒体を伴うことができる。例えば、本発明の少なくとも一部分を実行するためのインストラクションは、最初に、リモートコンピュータの磁気ディスクに保持されてもよい。このようなシナリオでは、リモートコンピュータがインストラクションをメインメモリにロードし、そしてモデムを使用して電話線を経てインストラクションを送信する。ローカルシステムのモデムが電話線のデータを受信し、そして赤外線送信器を使用して、データを赤外線信号に変換すると共に、その赤外線信号を、パーソナルデジタルアシスタント（ＰＤＡ）又はラップトップのようなポータブルコンピューティング装置に送信する。ポータブルコンピューティング装置の赤外線検出器が、赤外線信号により運ばれる情報及びインストラクションを受信し、そしてデータをバスにのせる。バスは、データをメインメモリへ搬送し、そこから、プロセッサがインストラクションを検索して実行する。メインメモリにより受信されたインストラクションは、プロセッサにより実行される前又は後に記憶装置に任意に記憶することができる。
【００４２】
図６Ａ及び６Ｂは、本発明の種々の実施形態をサポートできる異なるセルラー移動電話システムを示す図である。図６Ａ及び６Ｂは、トランシーバが（デジタル信号プロセッサ（ＤＳＰ）の一部分として）インストールされた移動ステーション（例えば、ハンドセット）及びベースステーションの両方を各々有し、又、ベースステーション及び移動ステーションのハードウェア、ソフトウェア、集積回路及び／又は半導体装置を有するセルラー移動電話システムを示す。例えば、無線ネットワークは、インターナショナル移動テレコミュニケーション２０００（ＩＭＴ−２０００）に対してインターナショナルテレコミュニケーションユニオン（ＩＴＵ）により定義された第２及び第３世代（２Ｇ及び３Ｇ）サービスをサポートする。説明上、無線ネットワークの搬送波及びチャンネル選択能力は、ｃｄｍａ２０００アーキテクチャーについて説明する。ＩＳ−９５の第３世代バージョンとして、ｃｄｍａ２０００は、第３世代パートナーシッププロジェクト２（３ＧＰＰ２）において規格化される。
【００４３】
無線ネットワーク６００は、ベースステーションサブシステム（ＢＳＳ）６０３と通信する移動ステーション６０１（例えば、ハンドセット、ターミナル、ステーション、ユニット、装置又は任意の形式のユーザインターフェイス（「着用可能」な回路、等）を備えている。本発明の一実施形態によれば、無線ネットワークは、インターナショナル移動テレコミュニケーション２０００（ＩＭＴ−２０００）に対してインターナショナルテレコミュニケーションユニオン（ＩＴＵ）により定義された第３世代（３Ｇ）サービスをサポートする。
【００４４】
この実施例では、ＢＳＳ６０３は、ベーストランシーバステーション（ＢＴＳ）６０５及びベースステーションコントローラ（ＢＳＣ）６０７を備えている。単一のＢＴＳが示されているが、例えば、ポイント・ツー・ポイントリンクを通して複数のＢＴＳが典型的にＢＳＣに接続されることが認識される。各ＢＳＳ６０３は、送信制御エンティティ又はパケット制御ファンクション（ＰＣＦ）６１１を経てパケットデータサービングノード（ＰＤＳＮ）６０９にリンクされる。ＰＤＳＮ６０９は、外部ネットワーク、例えば、インターネット６１３又は他のプライベート消費者ネットワーク６１５に対するゲートウェイとして働くので、ＰＤＳＮ６０９は、ユーザのアイデンティティ及び特典をセキュアに決定し且つ各ユーザのアクティビティを追跡するために、アクセス、許可及びアカウンティングシステム（ＡＡＡ）６１７を含むことができる。ネットワーク６１５は、ホームＡＡＡ６３７によりセキュアにされるホームエージェント（ＨＡ）６３５を通してアクセスされる１つ以上のデータベース７３３にリンクされたネットワークマネージメントシステム（ＮＭＳ）６３１を備えている。
【００４５】
単一のＢＳＳ６０３が示されているが、典型的に移動交換センター（ＭＳＣ）６１９には複数のＢＳＳ６０３が接続されることが明らかである。ＭＳＣ６１９は、公衆交換電話ネットワーク（ＰＳＴＮ）６２１のような回路交換電話ネットワークに接続を与える。同様に、ＭＳＣ６１９は、同じネットワーク６００上の他のＭＳＣ６１９及び／又は他の無線ネットワークにも接続できることが明らかであろう。ＭＳＣ６１９は、一般的に、そのＭＳＣ６１９に対するアクティブな加入者に関する一時的情報を保持するビジター位置レジスタ（ＶＬＲ）６２３データベースと一緒に配置される。ＶＬＲ６２３データベース内のデータは、その大部分が、詳細な加入者サービス契約情報を記憶するホーム位置レジスタ（ＨＬＲ）６２５データベースのコピーである。ある具現化において、ＨＬＲ６２５及びＶＬＲ６２３は、同じ物理的データベースであるが、ＨＬＲ６２５は、例えば、シグナリングシステムナンバー７（ＳＳ７）ネットワークを経てアクセスされるリモート位置に配置することができる。シークレット認証キーのような加入者特有の認証データを含む認証センター（ＡｕＣ）６２７が、ユーザ認証のためにＨＬＲ６２５に関連付けられる。更に、ＭＳＣ６１９は、ショートメッセージを記憶していて無線ネットワーク６００とやり取りするショートメッセージサービスセンター（ＳＭＳＣ）６２９に接続される。
【００４６】
セルラー電話システムの典型的なオペレーション中に、ＢＴＳ６０５は、電話コール又は他の通信を行う移動ユニット６０１のセットから逆方向リンク信号のセットを受信して復調する。所与のＢＴＳ６０５により受け取られる各逆方向リンク信号は、そのステーション内で処理される。それにより得られるデータは、ＢＳＣ６０７へ転送される。ＢＳＣ６０７は、ＢＴＳ６０５間のソフトハンドオフの編成を含むコールリソース割り当て及び移動管理ファンクションを備えている。又、ＢＳＣ６０７は、受信したデータをＭＳＣ６１９へルーティングし、これは、次いで、ＰＳＴＮ６２１とインターフェイスするための付加的なルーティング及び／又はスイッチングを与える。又、ＭＳＣ６１９は、コール設定、コール終了、ＭＳＣ間ハンドオーバーの管理及び補足サービス、並びに情報の収集、課金及びアカウンティングのための役割も果たす。同様に、無線ネットワーク６００は、順方向リンクメッセージを送信する。ＰＳＴＮ６２１は、ＭＳＣ６１９とインターフェイスする。更に、ＭＳＣ６１９は、ＢＳＣ６０７とインターフェイスし、これは、次いで、ＢＴＳ６０５と通信し、これは、順方向リンク信号のセットを変調して、移動ユニット６０１のセットへ送信する。
【００４７】
図６Ｂに示すように、汎用パケット無線サービス（ＧＰＲＳ）インフラストラクチャー６５０の２つの重要な要素は、サービングＧＰＲＳサポートノード（ＳＧＳＮ）６３２と、ゲートウェイＧＰＲＳサポートノード（ＧＧＳＮ）６３４である。更に、ＧＰＲＳインフラストラクチャーは、パケット制御ユニットＰＣＵ（６３６）と、ビリングシステム６３９にリンクされた課金ゲートウェイファンクション（ＣＧＦ）６３８とを含む。ＧＰＲＳ移動ステーション（ＭＳ）６４１は、加入者アイデンティティモジュール（ＳＩＭ）６４３を使用する。
【００４８】
ＰＣＵ６３６は、エアインターフェイスアクセス制御、エアインターフェイスにおけるパケットスケジューリング、パケットアッセンブリ及び再アッセンブリのようなＧＰＲS関連ファンクションの役割を果たす論理的ネットワーク要素である。一般に、ＰＣＵ６３６は、ＢＳＣ６４５と物理的に一体化されるが、ＢＴＳ６４７又はＳＧＳＮ６３２と一緒に配置することができる。ＳＧＳＮ６３２は、移動管理、セキュリティ及びアクセス制御ファンクションを含むＭＳＣ６４９と同等のファンクションをパケット交換ドメインにおいて果たす。更に、ＳＧＳＮ６３２は、例えば、ＢＳＳ  ＧＰＲＳプロトコル（ＢＳＳＧＰ）を使用してフレームリレーベースのインターフェイスを通してＰＣＵ６３６と接続する。１つのＳＧＳＮしか示されていないが、複数のＳＧＳＮ６３１を使用して、サービスエリアをそれに対応するルーティングエリア（ＲＡ）に分割できることが明らかであろう。ＳＧＳＮ／ＳＧＳＮインターフェイスは、進行中のパーソナルデベロープメントプランニング（ＰＤＰ）コンテクスト中にＲＡ更新が行われるときに古いＳＧＳＮから新しいＳＧＳＮへのパケットトンネル伝送を許す。所与のＳＧＳＮが複数のＢＳＣ６４５にサービスする間に、所与のＢＳＣ６４５は、一般的に、１つのＳＧＳＮ６３２にインターフェイスする。又、ＳＧＳＮ６３２は、任意であるが、ＧＰＲS増強移動アプリケーションパート（ＭＡＰ）を使用してＳＳ７ベースのインターフェイスを経てＨＬＲ６５１に接続されるか、又はシグナリング接続制御パート（ＳＣＣＰ）を使用してＳＳ７ベースのインターフェイスを経てＭＳＣ６４９に接続される。ＳＧＳＮ／ＨＬＲインターフェイスは、ＳＧＳＮ６３２がＨＬＲ６５１に対して位置更新を与えると共に、ＳＧＳＮサービスエリア内のＧＰＲＳ関係契約情報を検索するのを許す。ＳＧＳＮ／ＭＳＣインターフェイスは、ボイスコールに対して加入者をページングするような、回路交換サービスとパケットデータサービスとの間の整合を行うことができる。最終的に、ＳＧＳＮ６３２は、ＳＭＳＣ６５３とインターフェイスし、ネットワーク６５０を経てショートメッセージングファンクションを行えるようにする。
【００４９】
ＧＧＳＮ６３４は、インターネット６１３又は他のプライベート顧客ネットワーク６５５のような外部パケットデータネットワークへのゲートウェイである。ネットワーク６５５は、ＰＤＳＮ６６１を経てアクセスされる１つ以上のデータベース６５９にリンクされるネットワークマネージメントシステム（ＮＭＳ）６５７を備えている。ＧＧＳＮ６３４は、インターネットプロトコル（ＩＰ）アドレスを指定し、又、リモート認証ダイヤルインユーザサービスホストとして働くユーザを認証することもできる。又、ＧＧＳＮ６３４に配置されたファイアウォールは、無断トラフィックを制限するためのファイアウォールファンクションも遂行する。１つのＧＧＳＮ６３４しか示されていないが、所与のＳＧＳＮ６３２が１つ以上のＧＧＳＮ６３３とインターフェイスして、ユーザデータを２つのエンティティ間で且つネットワーク６５０へ及びネットワーク６５０からトンネル伝送できることが明らかであろう。外部データネットワークがＧＰＲＳネットワーク６５０を経てセッションを開始するときには、ＧＧＳＮ６３４が、ＭＳ６４１に現在サービスしているＳＧＳＮ６３２についてＨＬＲ６５１に問合せする。
【００５０】
ＢＴＳ６４７及びＢＳＣ６４５は、どの移動ステーション（ＭＳ）６４１がいつ無線チャンネルにアクセスするか制御することを含めて、無線インターフェイスを管理する。これらの要素は、本質的に、ＭＳ６４１とＳＧＳＮ６３２との間でメッセージを中継する。ＳＧＳＮ６３２は、ＭＳ６４１との通信、データの送信及び受信、並びにその位置の追跡を管理する。又、ＳＧＳＮ６３２は、ＭＳ６４１を登録し、ＭＳ６４１を認証し、そしてＭＳ６４１へ送られるデータを暗号化する。
【００５１】
図７は、本発明の実施形態により図６Ａ及び６Ｂのシステムにおいて動作できる移動ステーション（例えば、ハンドセット）のコンポーネントを例示する図である。一般的に、無線受信器は、フロントエンド及びバックエンド特性に関してしばしば定義される。受信器のフロントエンドは、全ての高周波（ＲＦ）回路を取り巻き、一方、バックエンドは、全ての基本帯域処理回路を取り巻く。電話の関連内部コンポーネントは、メイン制御ユニット（ＭＣＵ）７０３と、デジタル信号プロセッサ（ＤＳＰ）７０５と、マイクロホン利得制御ユニット及びスピーカ利得制御ユニットを有する受信／送信ユニットとを含む。メインディスプレイユニット７０７は、種々のアプリケーション及び移動ステーションファンクションをサポートする上でユーザに表示を与える。オーディオファンクション回路７０９は、マイクロホン７１１と、該マイクロホン７１１からのスピーチ信号出力を増幅するマイクロホン増幅器とを備えている。マイクロホン７１１からの増幅されたスピーチ信号出力は、コーダー／デコーダー（ＣＯＤＥＣ）７１３へ送られる。
【００５２】
無線部分７１５は、アンテナ７１７を経て移動通信システム（例えば、図６Ａ又は６Ｂのシステム）に含まれたベースステーションと通信するために、電力を増幅し、周波数を変換する。電力増幅器（ＰＡ）７１９及び送信／変調回路は、この技術で知られたように、動作上、ＭＣＵ７０３に応答し、ＰＡ７１９の出力は、デュープレクサ７２１、或いはサーキュレータ又はアンテナスイッチに結合される。又、ＰＡ７１９は、バッテリインターフェイス及び電力制御ユニット７２０にも結合される。
【００５３】
使用中、移動ステーション７０１のユーザは、マイクロホン７１１に向けて話し、ユーザの音声は、検出された背景ノイズと共にアナログ電圧に変換される。次いで、アナログ電圧は、アナログ／デジタルコンバータ（ＡＤＣ）７２３を経て、デジタル信号に変換される。制御ユニット７０３は、デジタル信号をＤＳＰ７０５へルーティングし、スピーチエンコーディング、チャンネルエンコーディング、暗号化、及びインターリーブのような処理がそこで行われる。ここに示す実施形態では、処理された音声信号は、参考としてここに全体を援用する“Telecommunication Industry Association's TIA/EIA/IS-95-A Mobile Station-Base Station Compatibility Standard for Dual-Mode Wideband Spread Spectrum Cellular System”に詳細に説明されたように、コード分割多重アクセス（ＣＤＭＡ）のセルラー送信プロトコルを使用して、個別に図示されないユニットによりエンコードされる。
【００５４】
エンコードされた信号は、次いで、空気中を送信される間に生じる周波数依存の障害、例えば、位相及び振幅歪を補償するために、イコライザ７２５へルーティングされる。ビットストリームをイコライズした後に、変調器７２７が、信号を、ＲＦインターフェイス７２９で発生されたＲＦ信号と合成する。変調器７２７は、周波数又は位相変調によって正弦波を発生する。送信のための信号を準備するために、アップコンバータ７３１は、変調器７２７からの正弦波出力を、シンセサイザ７３３により発生された別の正弦波と合成して、希望の周波数の送信を達成する。次いで、信号は、ＰＡ７１９を経て送信されて、信号を適切な電力レベルに増加する。実際のシステムでは、ＰＡ７１９は、可変利得増幅器として働き、その利得は、ネットワークベースステーションから受け取られる情報からＤＳＰ７０５により制御される。次いで、信号は、デュープレクサ７２１内でフィルタリングされ、任意であるが、アンテナカプラー７３５へ送られてインピーダンスマッチングし、最大電力転送を与える。最終的に、信号は、アンテナ７１７を経てローカルベースステーションへ送信される。受信器の最終段の利得を制御するために自動利得制御（ＡＧＣ）を適用することができる。信号は、そこから、別のセルラーでよいリモート電話、他の移動電話、或いは公衆交換電話ネットワーク（ＰＳＴＮ）又は他の電話ネットワークに接続された地上ラインへ転送される。
【００５５】
移動ステーション７０１へ送信される音声信号は、アンテナ７１７を経て受信され、そして低ノイズ増幅器（ＬＮＡ）７３７により直ちに増幅される。ダウンコンバータ７３９は、搬送波周波数を下げ、一方、復調器７４１は、ＲＦを剥離して、デジタルビット流のみを残す。次いで、信号は、イコライザ７２５を通過し、ＤＳＰ７０５によって処理される。デジタル／アナログコンバータ（ＤＡＣ）７４３は、信号を変換し、それにより生じる出力は、全てメイン制御ユニット（ＭＣＵ）７０３の制御のもとで、スピーカ７４５を経てユーザへ送信され、ＭＣＵ７０３は、中央処理ユニット（ＣＰＵ）（図示せず）として具現化することができる。
【００５６】
ＭＵＣ７０３は、キーボード７４７からの入力信号を含む種々の信号を受信する。ＭＣＵ７０３は、表示コマンド及びスイッチコマンドを、各々、ディスプレイ７０７及びスピーチ出力スイッチングコントローラへ配送する。更に、ＭＣＵ７０３は、ＤＳＰ７０５と情報を交換し、そして任意に組み込まれるＳＩＭカード７４９及びメモリ７５１にアクセスすることができる。更に、ＭＣＵ７０３は、ステーションに必要な種々の制御機能を実行する。ＤＳＰ７０５は、その具現化に基づき、音声信号に対して種々の従来のデジタル処理機能のいずれかを遂行できる。更に、ＤＳＰ７０５は、マイクロホン７１１により検出された信号からローカル環境の背景ノイズレベルを決定し、そしてマイクロホン７１１の利得を、移動ステーション７０１のユーザの固有の傾向を補償するために選択されたレベルにセットする。
【００５７】
ＣＯＤＥＣ７１３は、ＡＤＣ７２３及びＤＡＣ７４３を含む。メモリ７５１は、コール到来トーンデータを含む種々のデータを記憶し、そして、例えば、グローバルインターネットを経て受信された音楽データを含む他のデータを記憶することができる。ソフトウェアモジュールは、ＲＡＭメモリ、フラッシュメモリ、レジスタ、又はこの技術で知られた他の形態の書き込み可能な記憶媒体に常駐することができる。メモリ装置７５１は、これに限定されないが、単一メモリ、ＣＤ、ＤＶＤ、ＲＯＭ、ＲＡＭ、ＥＥＰＲＯＭ、光学記憶装置、又はデジタルデータを記憶できる他の不揮発性記憶媒体でよい。
【００５８】
任意に組み込まれるＳＩＭカード７４９は、例えば、セルラー電話番号、搬送波供給サービス、契約詳細、及びセキュリティ情報のような重要な情報を保持する。ＳＩＭカード７４９は、主として、無線ネットワーク上の移動ステーション７０１を識別するように働く。又、カード７４９は、パーソナル電話番号レジストリー、テキストメッセージ、及びユーザ特有の移動ステーション設定を記憶するためのメモリも含む。
【００５９】
図８は、パケットベース及び／又はセルラーベースの技術（例えば、非同期転送モード（ＡＴＭ）、イーサネット（登録商標）、ＩＰベース、等）を使用する任意の形式のデータ通信ネットワークである企業ネットワークを例示する。企業ネットワーク８０１は、上述したプロセスを遂行するように各々構成されたワイヤードノード８０３及びワイヤレスノード８０５−８０９（固定又は移動）に対して接続を与える。企業ネットワーク８０１は、種々の他のネットワーク、例えば、ＷＬＡＮネットワーク８１１（例えば、ＩＥＥＥ８０２．１１）、ｃｄｍａ２０００セルラーネットワーク８１３、電話ネットワーク８１６（例えば、ＰＳＴＮ）、或いはパブリックデータネットワーク８１７（例えば、インターネット）と通信することができる。
【００６０】
本発明は、多数の実施形態及び具現化に関連して説明したが、これに限定されるものではなく、特許請求の範囲内でなされる種々の明らかな変更や同等の構成も網羅する。本発明の特徴は、請求項の中のある組合せで表現されたが、これらの特徴は、任意の組合わせ及び順序で配列できることが意図される。
【符号の説明】
【００６１】
１０１：移動ステーション
１０３：無線ネットワーク
１０５：無線ネットワーク
１０７：無線ネットワーク
１１１、１１３、１１５：ＯＴＡサーバー
１１７：測定ユニット
１１９：ＣＤＭＡ回路
１２１：ＧＳＭ回路
１２３：ＷＬＡＮ回路
１２５：モード選択ロジック
２０１：オーバーレイファンクションモード
２０３：格付けモジュール
２０５：カウンタ
５０１：バス
５０３：プロセッサ
５０５：メインメモリ
５０７：ＲＯＭ
５０９：記憶装置
５１１：ディスプレイ
５１３：入力装置
５１５：通信インターフェイス
【図１Ａ】
2010510707.tif 000003
【図１Ｂ】
2010510707.tif 000004
【図２】
2010510707.tif 000005
【図３】
2010510707.tif 000006
【図４Ａ】
2010510707.tif 000007
【図４Ｂ】
2010510707.tif 000008
【図５】
2010510707.tif 000009
【図６Ａ】
2010510707.tif 000010
【図６Ｂ】
2010510707.tif 000011
【図７】
2010510707.tif 000012
【図８】
2010510707.tif 000013
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
互いに異なる複数のネットワークに関連した複数のオーバーレイパラメータを取得するステップと、
１つ以上の選択基準に基づき前記オーバーレイパラメータを使用して前記ネットワークの各々を格付けするステップと、
前記格付けに基づいて前記ネットワークの１つを選択するステップと、
を備えた方法。
【請求項２】
前記オーバーレイパラメータは、スタティックパラメータ及びダイナミックパラメータより成り、そのダイナミックパラメータはリアルタイムで与えられる、請求項１に記載の方法。
【請求項３】
前記ネットワークの１つを選択することを開始するために、パワーオン状態、システムロス状態、及び再選択状態の１つを検出するステップを更に備えた、請求項１に記載の方法。
【請求項４】
前記ネットワークは、プライオリティリストに指定され、前記ダイナミックパラメータは、該プライオリティリスト内のネットワークの次の１つに対するスキャニング間の期間より成る、請求項１に記載の方法。
【請求項５】
前記ネットワークは、移動通信用のグローバルシステム（ＧＳＭ）ネットワークと、コード分割多重アクセス（ＣＤＭＡ）ネットワークと、電気電子学会（ＩＥＥＥ）８０２．１１アーキテクチャーに適合するワイヤレスローカルエリアネットワーク（ＬＡＮ）又はＩＥＥＥ８０２．１６アーキテクチャーに適合するワイヤレスメトロポリタンエリアネットワーク（ＷＭＡＮ）より成る、請求項１に記載の方法。
【請求項６】
前記オーバーレイパラメータは、送信電力、リンククオリティ、サービスクオリティ、又はサービス利用性に関する測定値より成る、請求項１に記載の方法。
【請求項７】
前記取得するステップは、前記ネットワークの各々に対してリンククオリティを測定することを備え、その測定されたリンククオリティが前記オーバーレイパラメータの一部分として含まれる、請求項１に記載の方法。
【請求項８】
互いに異なる複数のネットワークに関連した複数のオーバーレイパラメータを取得するように構成された選択ロジックを備え、
前記選択ロジックは、更に、１つ以上の選択基準に基づき前記オーバーレイパラメータを使用して前記ネットワークの各々を格付けし、そしてその格付けに基づいて前記ネットワークの１つを選択するように構成された、装置。
【請求項９】
前記オーバーレイパラメータは、スタティックパラメータ及びダイナミックパラメータより成り、このダイナミックパラメータは、リアルタイムで与えられる、請求項８に記載の装置。
【請求項１０】
前記ネットワークの１つを選択することを開始するために、パワーオン状態、システムロス状態、及び再選択状態の１つが検出される、請求項８に記載の装置。
【請求項１１】
前記ネットワークは、プライオリティリストに指定され、前記ダイナミックパラメータは、該プライオリティリスト内のネットワークの次の１つに対するスキャニング間の期間より成る、請求項８に記載の装置。
【請求項１２】
前記ネットワークは、移動通信用のグローバルシステム（ＧＳＭ）ネットワークと、コード分割多重アクセス（ＣＤＭＡ）ネットワークと、電気電子学会（ＩＥＥＥ）８０２．１１アーキテクチャーに適合するワイヤレスローカルエリアネットワーク（ＬＡＮ）又はＩＥＥＥ８０２．１６アーキテクチャーに適合するワイヤレスメトロポリタンエリアネットワーク（ＷＭＡＮ）より成る、請求項８に記載の装置。
【請求項１３】
前記オーバーレイパラメータは、送信電力、リンククオリティ、サービスクオリティ、又はサービス利用性に関する測定値より成る、請求項８に記載の装置。
【請求項１４】
前記ネットワークの各々に対してリンククオリティを測定するように構成された測定ユニットを更に備え、その測定されたリンククオリティが前記オーバーレイパラメータの一部分として含まれる、請求項８に記載の装置。
【請求項１５】
リアルタイムで与えられるダイナミックパラメータ、及びスタティックパラメータより成るネットワークのオーバーレイパラメータを記憶するステップと、
前記オーバーレイパラメータを移動ステーションへ送信するステップと、
を備えた方法。
【請求項１６】
前記オーバーレイパラメータは、ネットワークの送信電力、リンククオリティ、サービスクオリティ、又はサービス利用性に関する測定値より成る、請求項１５に記載の方法。
【請求項１７】
リアルタイムで与えられるダイナミックパラメータ、及びスタティックパラメータより成るネットワークのオーバーレイパラメータを記憶するように構成されたメモリと、
ベースステーションを経て移動ステーションへ前記オーバーレイパラメータを送信するように構成された通信インターフェイスと、
を備えた、装置。
【請求項１８】
前記オーバーレイパラメータは、ネットワークの送信電力、リンククオリティ、サービスクオリティ、又はサービス利用性に関する測定値より成る、請求項１７に記載の装置。
【請求項１９】
前記装置は、前記ネットワークに関連したサーバーである、請求項１７に記載の装置。
【国際調査報告】
2010510707.tif 000014
2010510707.tif 000015
2010510707.tif 000016
2010510707.tif 000017
2010510707.tif 000018
2010510707.tif 000019